(57)【特許請求の範囲】
【請求項１】
携帯電話に保存されたデジタル・コンテンツを保管する保管方法において、
携帯電話にデジタル・コンテンツをダウンロードするデジタル・コンテンツ配信事業者システムが、携帯電話毎にデジタル・コンテンツをダウンロードした履歴を記憶する第１の段階と、
前記第１の段階で前記デジタル・コンテンツ配信事業者システムが記憶した前記履歴と前記履歴が示すデジタル・コンテンツとを、デジタル・コンテンツを保管するデジタル・コンテンツ保管事業者システムに提供する第２の段階と、
前記履歴を提供された前記デジタル・コンテンツ保管事業者システムに対する携帯電話からのデジタル・コンテンツの引き出しの要求があったときに、前記デジタル・コンテンツ保管事業者システムは該要求した携帯電話に対応した前記履歴を該携帯電話に提供する第３の段階と、
前記第３の段階で前記履歴を提供された携帯電話からの前記履歴中のデジタル・コンテンツの選択に従って、前記デジタル・コンテンツ保管事業者システムが該選択されたデジタル・コンテンツを該携帯電話にダウンロードする第４の段階と
を有する携帯電話に保存されたデジタル・コンテンツを保管する保管方法。
【請求項２】
携帯電話に保存されたデジタル・コンテンツを保管する保管方法において、
携帯電話にデジタル・コンテンツをダウンロードするデジタル・コンテンツ配信事業者システムが、携帯電話毎にデジタル・コンテンツをダウンロードした履歴を記憶する第１の段階と、
前記第１の段階で前記デジタル・コンテンツ配信事業者システムが記憶した前記履歴を、デジタル・コンテンツを保管するデジタル・コンテンツ保管事業者システムに提供する第２の段階と、
前記履歴を提供された前記デジタル・コンテンツ保管事業者システムに対する携帯電話からのデジタル・コンテンツの引き出しの要求があったときに、前記デジタル・コンテンツ保管事業者システムは該要求した携帯電話に対応した前記履歴を該携帯電話に提供する第３の段階と、
前記第３の段階で前記履歴を提供された携帯電話からの前記履歴中のデジタル・コンテンツの選択に従って、前記デジタル・コンテンツ保管事業者システムが該選択されたデジタル・コンテンツを前記デジタル・コンテンツ配信事業者システムに要求し、前記デジタル・コンテンツ配信事業者システムが該要求されたデジタル・コンテンツを前記デジタル・コンテンツ保管事業者システムに提供する第４の段階と、
前記デジタル・コンテンツ保管事業者システムが、前記第４の段階で提供されたデジタル・コンテンツを該デジタル・コンテンツを選択した携帯電話にダウンロードする第５の段階と
を有する携帯電話に保存されたデジタル・コンテンツを保管する保管方法。
【請求項３】
携帯電話に保存されたデジタル・コンテンツを保管する保管方法において、
携帯電話にデジタル・コンテンツをダウンロードするデジタル・コンテンツ配信事業者システムが、携帯電話毎にデジタル・コンテンツをダウンロードした履歴を記憶する第１の段階と、
前記第１の段階で前記デジタル・コンテンツ配信事業者システムが記憶した前記履歴を、デジタル・コンテンツを保管するデジタル・コンテンツ保管事業者システムに提供する第２の段階と、
前記履歴を提供された前記デジタル・コンテンツ保管事業者システムに対する携帯電話からのデジタル・コンテンツの引き出しの要求があったときに、前記デジタル・コンテンツ保管事業者システムは該要求した携帯電話に対応した前記履歴を該携帯電話に提供する第３の段階と、
前記第３の段階で前記履歴を提供された携帯電話からの前記履歴中のデジタル・コンテンツの選択に従って、前記デジタル・コンテンツ保管事業者システムが該選択されたデジタル・コンテンツの該携帯電話へのダウンロードを前記デジタル・コンテンツ配信事業者システムに要求する第４の段階と、
前記デジタル・コンテンツ配信事業者システムが該要求されたデジタル・コンテンツを該デジタル・コンテンツを選択した携帯電話にダウンロードする第５の段階と
を有する携帯電話に保存されたデジタル・コンテンツを保管する保管方法。
【請求項４】
携帯電話に保存されたデジタル・コンテンツを保管する保管システムにおいて、
ネットワークを介して接続された携帯電話と前記携帯電話へデジタル・コンテンツを配信するデジタル・コンテンツ配信事業者側システムと前記携帯電話に保存されたデジタル・コンテンツを管理して保管するデジタル・コンテンツ保管事業者側システムとを有し、
携帯電話毎にデジタル・コンテンツをダウンロードした履歴を記憶する前記デジタル・コンテンツ配信事業者側システムにおける記憶手段と、
前記デジタル・コンテンツ配信事業者側システムにおける記憶手段が記憶した前記履歴と前記履歴が示すデジタル・コンテンツとを、前記デジタル・コンテンツ保管事業者側システムに送信する前記デジタル・コンテンツ配信事業者側システムにおける送信手段と、
前記デジタル・コンテンツ配信事業者側システムにおける送信手段から前記履歴を送信された前記デジタル・コンテンツ保管事業者側システムに対する携帯電話からのデジタル・コンテンツの引き出しの要求があったときに、該要求した携帯電話に対応した前記履歴を該携帯電話に送信する前記デジタル・コンテンツ保管事業者側システムにおける送信手段と、
前記デジタル・コンテンツ保管事業者側システムにおける送信手段から前記履歴を送信された携帯電話からの前記履歴中のデジタル・コンテンツの選択に従って、該選択されたデジタル・コンテンツを該携帯電話にダウンロードする前記デジタル・コンテンツ保管事業者側システムにおけるダウンロード手段と
を有する携帯電話に保存されたデジタル・コンテンツを保管する保管システム。
【請求項５】
携帯電話に保存されたデジタル・コンテンツを保管する保管システムにおいて、
ネットワークを介して接続された携帯電話と前記携帯電話へデジタル・コンテンツを配信するデジタル・コンテンツ配信事業者側システムと前記携帯電話に保存されたデジタル・コンテンツを管理して保管するデジタル・コンテンツ保管事業者側システムとを有し、
携帯電話毎にデジタル・コンテンツをダウンロードした履歴を記憶する前記デジタル・コンテンツ配信事業者側システムにおける記憶手段と、
前記デジタル・コンテンツ配信事業者側システムにおける記憶手段が記憶した前記履歴を、前記デジタル・コンテンツ保管事業者側システムに送信する前記デジタル・コンテンツ配信事業者側システムにおける送信手段と、
前記デジタル・コンテンツ配信事業者側システムにおける送信手段から前記履歴を送信された前記デジタル・コンテンツ保管事業者側システムに対する携帯電話からのデジタル・コンテンツの引き出しの要求があったときに、該要求した携帯電話に対応した前記履歴を該携帯電話に送信する前記デジタル・コンテンツ保管事業者側システムにおける送信手段と、
前記デジタル・コンテンツ保管事業者側システムにおける送信手段から前記履歴を送信された携帯電話からの前記履歴中のデジタル・コンテンツの選択に従って、該選択されたデジタル・コンテンツを前記デジタル・コンテンツ配信事業者側システムに要求し、前記デジタル・コンテンツ配信事業者側システムから該要求したデジタル・コンテンツを取得する前記デジタル・コンテンツ保管事業者側システムにおける取得手段と、
前記デジタル・コンテンツ保管事業者側システムにおける取得手段が取得したデジタル・コンテンツを該デジタル・コンテンツを選択した携帯電話にダウンロードする前記デジタル・コンテンツ保管事業者側システムにおけるダウンロード手段と
を有する携帯電話に保存されたデジタル・コンテンツを保管する保管システム。
【請求項６】
携帯電話に保存されたデジタル・コンテンツを保管する保管システムにおいて、
ネットワークを介して接続された携帯電話と前記携帯電話へデジタル・コンテンツを配信するデジタル・コンテンツ配信事業者側システムと前記携帯電話に保存されたデジタル・コンテンツを管理して保管するデジタル・コンテンツ保管事業者側システムとを有し、
携帯電話毎にデジタル・コンテンツをダウンロードした履歴を記憶する前記デジタル・コンテンツ配信事業者側システムにおける記憶手段と、
前記デジタル・コンテンツ配信事業者側システムにおける記憶手段が記憶した前記履歴を、前記デジタル・コンテンツ保管事業者側システムに送信する前記デジタル・コンテンツ配信事業者側システムにおける送信手段と、
前記デジタル・コンテンツ配信事業者側システムにおける送信手段から前記履歴を送信された前記デジタル・コンテンツ保管事業者側システムに対する携帯電話からのデジタル・コンテンツの引き出しの要求があったときに、該要求した携帯電話に対応した前記履歴を該携帯電話に送信する前記デジタル・コンテンツ保管事業者側システムにおける送信手段と、
前記デジタル・コンテンツ保管事業者側システムにおける送信手段から前記履歴を送信された携帯電話からの前記履歴中のデジタル・コンテンツの選択に従って、該選択されたデジタル・コンテンツの該携帯電話へのダウンロードの要求を前記デジタル・コンテンツ配信事業者側システムへ送信する前記デジタル・コンテンツ保管事業者側システムにおける要求送信手段と、
前記デジタル・コンテンツ保管事業者側システムにおける要求送信手段から送信された要求に応じて、該要求されたデジタル・コンテンツを該デジタル・コンテンツを選択した携帯電話にダウンロードする前記デジタル・コンテンツ配信事業者側システムにおけるダウンロード手段と
を有する携帯電話に保存されたデジタル・コンテンツを保管する保管システム。
【請求項７】
携帯電話に保存されたデジタル・コンテンツを保管する保管方法を記録したコンピュータ読み取り可能な記録媒体において、
携帯電話にデジタル・コンテンツをダウンロードするデジタル・コンテンツ配信事業者システムが、携帯電話毎にデジタル・コンテンツをダウンロードした履歴を記憶する第１の段階と、
前記第１の段階で前記デジタル・コンテンツ配信事業者システムが記憶した前記履歴と前記履歴が示すデジタル・コンテンツとを、デジタル・コンテンツを保管するデジタル・コンテンツ保管事業者システムに提供する第２の段階と、
前記履歴を提供された前記デジタル・コンテンツ保管事業者システムに対する携帯電話からのデジタル・コンテンツの引き出しの要求があったときに、前記デジタル・コンテンツ保管事業者システムは該要求した携帯電話に対応した前記履歴を該携帯電話に提供する第３の段階と、
前記第３の段階で前記履歴を提供された携帯電話からの前記履歴中のデジタル・コンテンツの選択に従って、前記デジタル・コンテンツ保管事業者システムが該選択されたデジタル・コンテンツを該携帯電話にダウンロードする第４の段階と
を、コンピュータに実行させるためのプログラムを記録したコンピュータ読み取り可能な記録媒体。
【請求項８】
携帯電話に保存されたデジタル・コンテンツを保管する保管方法を記録したコンピュータ読み取り可能な記録媒体において、
携帯電話にデジタル・コンテンツをダウンロードするデジタル・コンテンツ配信事業者システムが、携帯電話毎にデジタル・コンテンツをダウンロードした履歴を記憶する第１の段階と、
前記第１の段階で前記デジタル・コンテンツ配信事業者システムが記憶した前記履歴を、デジタル・コンテンツを保管するデジタル・コンテンツ保管事業者システムに提供する第２の段階と、
前記履歴を提供された前記デジタル・コンテンツ保管事業者システムに対する携帯電話からのデジタル・コンテンツの引き出しの要求があったときに、前記デジタル・コンテンツ保管事業者システムは該要求した携帯電話に対応した前記履歴を該携帯電話に提供する第３の段階と、
前記第３の段階で前記履歴を提供された携帯電話からの前記履歴中のデジタル・コンテンツの選択に従って、前記デジタル・コンテンツ保管事業者システムが該選択されたデジタル・コンテンツを前記デジタル・コンテンツ配信事業者システムに要求し、前記デジタル・コンテンツ配信事業者システムが該要求されたデジタル・コンテンツを前記デジタル・コンテンツ保管事業者システムに提供する第４の段階と、
前記デジタル・コンテンツ保管事業者システムが、前記第４の段階で提供されたデジタル・コンテンツを該デジタル・コンテンツを選択した携帯電話にダウンロードする第５の段階と
を、コンピュータに実行させるためのプログラムを記録したコンピュータ読み取り可能な記録媒体。
【請求項９】
携帯電話に保存されたデジタル・コンテンツを保管する保管方法を記録したコンピュータ読み取り可能な記録媒体において、
携帯電話にデジタル・コンテンツをダウンロードするデジタル・コンテンツ配信事業者システムが、携帯電話毎にデジタル・コンテンツをダウンロードした履歴を記憶する第１の段階と、
前記第１の段階で前記デジタル・コンテンツ配信事業者システムが記憶した前記履歴を、デジタル・コンテンツを保管するデジタル・コンテンツ保管事業者システムに提供する第２の段階と、
前記履歴を提供された前記デジタル・コンテンツ保管事業者システムに対する携帯電話からのデジタル・コンテンツの引き出しの要求があったときに、前記デジタル・コンテンツ保管事業者システムは該要求した携帯電話に対応した前記履歴を該携帯電話に提供する第３の段階と、
前記第３の段階で前記履歴を提供された携帯電話からの前記履歴中のデジタル・コンテンツの選択に従って、前記デジタル・コンテンツ保管事業者システムが該選択されたデジタル・コンテンツの該携帯電話へのダウンロードを前記デジタル・コンテンツ配信事業者システムに要求する第４の段階と、
前記デジタル・コンテンツ配信事業者システムが該要求されたデジタル・コンテンツを該デジタル・コンテンツを選択した携帯電話にダウンロードする第５の段階と
を、コンピュータに実行させるためのプログラムを記録したコンピュータ読み取り可能な記録媒体。
【発明の詳細な説明】
【技術分野】
【０００１】
本発明は、携帯電話におけるデジタル・コンテンツの保管方法およびそのシステムならびにその方法を記録したコンピュータ読み取り可能な記録媒体に関し、さらに詳細には、携帯電話にデジタル・コンテンツを配信する配信サービスの利便性を向上させた携帯電話におけるデジタル・コンテンツの保管方法およびそのシステムならびにその方法を記録したコンピュータ読み取り可能な記録媒体に関する。
【０００２】
ここで、「デジタル・コンテンツ」とは、本明細書においては、携帯電話から放音される着信メロディーなどの音系のデータ（以下、本明細書においては、「携帯電話から放音される着信メロディーなどの音系のデータ」を「音楽データ」と称することとする。）、携帯電話の表示画面に表示される待ち受け画面などの画像系のデータ（以下、本明細書においては、「携帯電話の表示画面に表示される待ち受け画面などの画像系のデータ」を「画像データ」と称することとする。）、あるいは携帯電話の表示画面に表示されるメッセージ文などのテキスト系のデータ（以下、本明細書においては、「携帯電話の表示画面に表示されるメッセージ文などのテキスト系のデータ」を「テキスト・データ」と称することとする。）などのような、携帯電話において送受信可能な各種のデジタル・データを意味するものとする。
【背景技術】
【０００３】
従来より、携帯電話におけるデジタル・コンテンツの配信サービスとしては、例えば、ユーザーがデジタル・コンテンツ配信事業者から携帯電話に所望の着信メロディーをダウンロードすることのできるようにしたもの、即ち、着信メロディーの配信サービスが知られている。
【０００４】
こうした着信メロディーの配信サービスは、例えば、ユーザーがサービス料として月額１００円などの所定の金額を支払うことにより、１ヶ月毎に所定の曲数の着信メロディーをデジタル・コンテンツ配信事業者から携帯電話にダウンロードすることができるようになされている。
【０００５】
しかしながら、携帯電話では着信メロディーを保存することのできる記憶容量が限定されているため、携帯電話に保存できる曲数も予め所定の曲数、例えば、５曲に設定されていた。
【０００６】
従って、携帯電話に予め設定された所定の曲数が既に保存されている場合に、新たな着信メロディーをデジタル・コンテンツ配信事業者からダウンロードしようとするには、携帯電話に保存されている着信メロディーの中からいずれかの曲を削除しなければならなかった。
【０００７】
そして、携帯電話に保存されている着信メロディーを削除する際に、現在は携帯電話に保存されていた着信メロディーをいずれかの外部の記憶手段に転送するためのシステムが存在していないため、ユーザーが携帯電話から削除した着信メロディーを再び携帯電話にダウンロードするには、着信メロディーの配信サービスを利用することにより、所定のサービス料をもう一回支払ってデジタル・コンテンツ配信事業者から削除した着信メロディーをダウンロードしなければならなかった。
【０００８】
また、ユーザーが所定のサービス料をもう一回支払ってデジタル・コンテンツ配信事業者から削除した着信メロディーをダウンロードしようとしても、デジタル・コンテンツ配信事業者においてユーザーが再びダウンロードしようとする着信メロディーの配信サービスを中止してしまったような場合には、ユーザーはもう二度とその着信メロディーを携帯電話に保存することができないものであった。
【０００９】
このため、ユーザー側においては、ユーザーが携帯電話に保存していた着信メロディーを携帯電話とは異なる外部の記憶手段に記憶させて保管しておき、保管しておいたデジタル・コンテンツをユーザーが必要なときに自由に利用することのできる手法の提案が望まれていた。
【００１０】
なお、こうした要望は着信メロディーに限られることなしに、その他の音楽データや画像データあるいはテキスト・データなどのデジタル・コンテンツに関しても、上記したと同様な要望があった。
【００１１】
即ち、ユーザー側においては、外部からユーザーが入手して携帯電話に一旦保存したデジタル・コンテンツは、携帯電話から単に削除するのではなくて、携帯電話とは異なる外部の記憶手段に記憶させて保管することができるようにするとともに、ユーザーが当該外部の記憶手段に記憶させて保管したデジタル・コンテンツを自由に読み出して利用することができるようにする手法の提案が強く望まれていた。
【００１２】
なお、本出願人が特許出願時に知っている先行技術は、上記において説明したようなものであって、文献公知発明にかかる発明でないため、記載すべき先行技術情報はない。
【発明の開示】
【発明が解決しようとする課題】
【００１３】
本発明は、上記したような従来の技術に対する要望に鑑みてなされたものであり、その目的とするところは、ユーザーが携帯電話に保存したデジタル・コンテンツを、携帯電話とは異なる外部の記憶手段に記憶させて保管することができるようにするとともに、当該外部の記憶手段に記憶させて保管したデジタル・コンテンツをユーザーが自由に読み出して利用することができるようにした携帯電話におけるデジタル・コンテンツの保管方法およびそのシステムならびにその方法を記録したコンピュータ読み取り可能な記録媒体を提供しようとするものである。
【課題を解決するための手段】
【００１４】
上記目的を達成するために、本発明による携帯電話におけるデジタル・コンテンツの保管方法およびそのシステムならびにその方法を記録したコンピュータ読み取り可能な記録媒体は、ユーザーが携帯電話に保存したデジタル・コンテンツを各携帯電話毎にネットワーク上で個別に保管して管理することにより、ユーザーが保存したデジタル・コンテンツを携帯電話から削除した後においても、そのデジタル・コンテンツをネットワーク経由で自由に読み出して利用することを可能にしたものである。
【００１５】
従って、ユーザーは携帯電話に保存可能なデジタル・コンテンツの容量を気にすることなく、所望のデジタル・コンテンツを携帯電話で利用することが可能となるものである。
【００１６】
そして、本発明のうち請求項１に記載の発明は、携帯電話に保存されたデジタル・コンテンツを保管する保管方法において、携帯電話にデジタル・コンテンツをダウンロードするデジタル・コンテンツ配信事業者システムが、携帯電話毎にデジタル・コンテンツをダウンロードした履歴を記憶する第１の段階と、上記第１の段階で上記デジタル・コンテンツ配信事業者システムが記憶した上記履歴と上記履歴が示すデジタル・コンテンツとを、デジタル・コンテンツを保管するデジタル・コンテンツ保管事業者システムに提供する第２の段階と、上記履歴を提供された上記デジタル・コンテンツ保管事業者システムに対する携帯電話からのデジタル・コンテンツの引き出しの要求があったときに、上記デジタル・コンテンツ保管事業者システムは該要求した携帯電話に対応した上記履歴を該携帯電話に提供する第３の段階と、上記第３の段階で上記履歴を提供された携帯電話からの上記履歴中のデジタル・コンテンツの選択に従って、上記デジタル・コンテンツ保管事業者システムが該選択されたデジタル・コンテンツを該携帯電話にダウンロードする第４の段階とを有するようにしたものである。
【００１７】
また、本発明のうち請求項２に記載の発明は、携帯電話に保存されたデジタル・コンテンツを保管する保管方法において、携帯電話にデジタル・コンテンツをダウンロードするデジタル・コンテンツ配信事業者システムが、携帯電話毎にデジタル・コンテンツをダウンロードした履歴を記憶する第１の段階と、上記第１の段階で上記デジタル・コンテンツ配信事業者システムが記憶した上記履歴を、デジタル・コンテンツを保管するデジタル・コンテンツ保管事業者システムに提供する第２の段階と、上記履歴を提供された上記デジタル・コンテンツ保管事業者システムに対する携帯電話からのデジタル・コンテンツの引き出しの要求があったときに、上記デジタル・コンテンツ保管事業者システムは該要求した携帯電話に対応した上記履歴を該携帯電話に提供する第３の段階と、上記第３の段階で上記履歴を提供された携帯電話からの上記履歴中のデジタル・コンテンツの選択に従って、上記デジタル・コンテンツ保管事業者システムが該選択されたデジタル・コンテンツを上記デジタル・コンテンツ配信事業者システムに要求し、上記デジタル・コンテンツ配信事業者システムが該要求されたデジタル・コンテンツを上記デジタル・コンテンツ保管事業者システムに提供する第４の段階と、上記デジタル・コンテンツ保管事業者システムが、上記第４の段階で提供されたデジタル・コンテンツを該デジタル・コンテンツを選択した携帯電話にダウンロードする第５の段階とを有するようにしたものである。
【００１８】
また、本発明のうち請求項３に記載の発明は、携帯電話に保存されたデジタル・コンテンツを保管する保管方法において、携帯電話にデジタル・コンテンツをダウンロードするデジタル・コンテンツ配信事業者システムが、携帯電話毎にデジタル・コンテンツをダウンロードした履歴を記憶する第１の段階と、上記第１の段階で上記デジタル・コンテンツ配信事業者システムが記憶した上記履歴を、デジタル・コンテンツを保管するデジタル・コンテンツ保管事業者システムに提供する第２の段階と、上記履歴を提供された上記デジタル・コンテンツ保管事業者システムに対する携帯電話からのデジタル・コンテンツの引き出しの要求があったときに、上記デジタル・コンテンツ保管事業者システムは該要求した携帯電話に対応した上記履歴を該携帯電話に提供する第３の段階と、上記第３の段階で上記履歴を提供された携帯電話からの上記履歴中のデジタル・コンテンツの選択に従って、上記デジタル・コンテンツ保管事業者システムが該選択されたデジタル・コンテンツの該携帯電話へのダウンロードを上記デジタル・コンテンツ配信事業者システムに要求する第４の段階と、上記デジタル・コンテンツ配信事業者システムが該要求されたデジタル・コンテンツを該デジタル・コンテンツを選択した携帯電話にダウンロードする第５の段階とを有するようにしたものである。
【００１９】
また、本発明のうち請求項４に記載の発明は、携帯電話に保存されたデジタル・コンテンツを保管する保管システムにおいて、ネットワークを介して接続された携帯電話と上記携帯電話へデジタル・コンテンツを配信するデジタル・コンテンツ配信事業者側システムと上記携帯電話に保存されたデジタル・コンテンツを管理して保管するデジタル・コンテンツ保管事業者側システムとを有し、携帯電話毎にデジタル・コンテンツをダウンロードした履歴を記憶する上記デジタル・コンテンツ配信事業者側システムにおける記憶手段と、上記デジタル・コンテンツ配信事業者側システムにおける記憶手段が記憶した上記履歴と上記履歴が示すデジタル・コンテンツとを、上記デジタル・コンテンツ保管事業者側システムに送信する上記デジタル・コンテンツ配信事業者側システムにおける送信手段と、上記デジタル・コンテンツ配信事業者側システムにおける送信手段から上記履歴を送信された上記デジタル・コンテンツ保管事業者側システムに対する携帯電話からのデジタル・コンテンツの引き出しの要求があったときに、該要求した携帯電話に対応した上記履歴を該携帯電話に送信する上記デジタル・コンテンツ保管事業者側システムにおける送信手段と、上記デジタル・コンテンツ保管事業者側システムにおける送信手段から上記履歴を送信された携帯電話からの上記履歴中のデジタル・コンテンツの選択に従って、該選択されたデジタル・コンテンツを該携帯電話にダウンロードする上記デジタル・コンテンツ保管事業者側システムにおけるダウンロード手段とを有するようにしたものである。
【００２０】
また、本発明のうち請求項５に記載の発明は、携帯電話に保存されたデジタル・コンテンツを保管する保管システムにおいて、ネットワークを介して接続された携帯電話と上記携帯電話へデジタル・コンテンツを配信するデジタル・コンテンツ配信事業者側システムと上記携帯電話に保存されたデジタル・コンテンツを管理して保管するデジタル・コンテンツ保管事業者側システムとを有し、携帯電話毎にデジタル・コンテンツをダウンロードした履歴を記憶する上記デジタル・コンテンツ配信事業者側システムにおける記憶手段と、上記デジタル・コンテンツ配信事業者側システムにおける記憶手段が記憶した上記履歴を、上記デジタル・コンテンツ保管事業者側システムに送信する上記デジタル・コンテンツ配信事業者側システムにおける送信手段と、上記デジタル・コンテンツ配信事業者側システムにおける送信手段から上記履歴を送信された上記デジタル・コンテンツ保管事業者側システムに対する携帯電話からのデジタル・コンテンツの引き出しの要求があったときに、該要求した携帯電話に対応した上記履歴を該携帯電話に送信する上記デジタル・コンテンツ保管事業者側システムにおける送信手段と、上記デジタル・コンテンツ保管事業者側システムにおける送信手段から上記履歴を送信された携帯電話からの上記履歴中のデジタル・コンテンツの選択に従って、該選択されたデジタル・コンテンツを上記デジタル・コンテンツ配信事業者側システムに要求し、上記デジタル・コンテンツ配信事業者側システムから該要求したデジタル・コンテンツを取得する上記デジタル・コンテンツ保管事業者側システムにおける取得手段と、上記デジタル・コンテンツ保管事業者側システムにおける取得手段が取得したデジタル・コンテンツを該デジタル・コンテンツを選択した携帯電話にダウンロードする上記デジタル・コンテンツ保管事業者側システムにおけるダウンロード手段とを有するようにしたものである。
【００２１】
また、本発明のうち請求項６に記載の発明は、携帯電話に保存されたデジタル・コンテンツを保管する保管システムにおいて、ネットワークを介して接続された携帯電話と上記携帯電話へデジタル・コンテンツを配信するデジタル・コンテンツ配信事業者側システムと上記携帯電話に保存されたデジタル・コンテンツを管理して保管するデジタル・コンテンツ保管事業者側システムとを有し、携帯電話毎にデジタル・コンテンツをダウンロードした履歴を記憶する上記デジタル・コンテンツ配信事業者側システムにおける記憶手段と、上記デジタル・コンテンツ配信事業者側システムにおける記憶手段が記憶した上記履歴を、上記デジタル・コンテンツ保管事業者側システムに送信する上記デジタル・コンテンツ配信事業者側システムにおける送信手段と、上記デジタル・コンテンツ配信事業者側システムにおける送信手段から上記履歴を送信された上記デジタル・コンテンツ保管事業者側システムに対する携帯電話からのデジタル・コンテンツの引き出しの要求があったときに、該要求した携帯電話に対応した上記履歴を該携帯電話に送信する上記デジタル・コンテンツ保管事業者側システムにおける送信手段と、上記デジタル・コンテンツ保管事業者側システムにおける送信手段から上記履歴を送信された携帯電話からの上記履歴中のデジタル・コンテンツの選択に従って、該選択されたデジタル・コンテンツの該携帯電話へのダウンロードの要求を上記デジタル・コンテンツ配信事業者側システムへ送信する上記デジタル・コンテンツ保管事業者側システムにおける要求送信手段と、上記デジタル・コンテンツ保管事業者側システムにおける要求送信手段から送信された要求に応じて、該要求されたデジタル・コンテンツを該デジタル・コンテンツを選択した携帯電話にダウンロードする上記デジタル・コンテンツ配信事業者側システムにおけるダウンロード手段とを有するようにしたものである。
【００２２】
また、本発明のうち請求項７に記載の発明は、携帯電話に保存されたデジタル・コンテンツを保管する保管方法を記録したコンピュータ読み取り可能な記録媒体において、携帯電話にデジタル・コンテンツをダウンロードするデジタル・コンテンツ配信事業者システムが、携帯電話毎にデジタル・コンテンツをダウンロードした履歴を記憶する第１の段階と、上記第１の段階で上記デジタル・コンテンツ配信事業者システムが記憶した上記履歴と上記履歴が示すデジタル・コンテンツとを、デジタル・コンテンツを保管するデジタル・コンテンツ保管事業者システムに提供する第２の段階と、上記履歴を提供された上記デジタル・コンテンツ保管事業者システムに対する携帯電話からのデジタル・コンテンツの引き出しの要求があったときに、上記デジタル・コンテンツ保管事業者システムは該要求した携帯電話に対応した上記履歴を該携帯電話に提供する第３の段階と、上記第３の段階で上記履歴を提供された携帯電話からの上記履歴中のデジタル・コンテンツの選択に従って、上記デジタル・コンテンツ保管事業者システムが該選択されたデジタル・コンテンツを該携帯電話にダウンロードする第４の段階とを、コンピュータに実行させるためのプログラムを記録したコンピュータ読み取り可能な記録媒体としたものである。
【００２３】
また、本発明のうち請求項８に記載の発明は、携帯電話に保存されたデジタル・コンテンツを保管する保管方法を記録したコンピュータ読み取り可能な記録媒体において、携帯電話にデジタル・コンテンツをダウンロードするデジタル・コンテンツ配信事業者システムが、携帯電話毎にデジタル・コンテンツをダウンロードした履歴を記憶する第１の段階と、上記第１の段階で上記デジタル・コンテンツ配信事業者システムが記憶した上記履歴を、デジタル・コンテンツを保管するデジタル・コンテンツ保管事業者システムに提供する第２の段階と、上記履歴を提供された上記デジタル・コンテンツ保管事業者システムに対する携帯電話からのデジタル・コンテンツの引き出しの要求があったときに、上記デジタル・コンテンツ保管事業者システムは該要求した携帯電話に対応した上記履歴を該携帯電話に提供する第３の段階と、上記第３の段階で上記履歴を提供された携帯電話からの上記履歴中のデジタル・コンテンツの選択に従って、上記デジタル・コンテンツ保管事業者システムが該選択されたデジタル・コンテンツを上記デジタル・コンテンツ配信事業者システムに要求し、上記デジタル・コンテンツ配信事業者システムが該要求されたデジタル・コンテンツを上記デジタル・コンテンツ保管事業者システムに提供する第４の段階と、上記デジタル・コンテンツ保管事業者システムが、上記第４の段階で提供されたデジタル・コンテンツを該デジタル・コンテンツを選択した携帯電話にダウンロードする第５の段階とを、コンピュータに実行させるためのプログラムを記録したコンピュータ読み取り可能な記録媒体としたものである。
【００２４】
また、本発明のうち請求項９に記載の発明は、携帯電話に保存されたデジタル・コンテンツを保管する保管方法を記録したコンピュータ読み取り可能な記録媒体において、携帯電話にデジタル・コンテンツをダウンロードするデジタル・コンテンツ配信事業者システムが、携帯電話毎にデジタル・コンテンツをダウンロードした履歴を記憶する第１の段階と、上記第１の段階で上記デジタル・コンテンツ配信事業者システムが記憶した上記履歴を、デジタル・コンテンツを保管するデジタル・コンテンツ保管事業者システムに提供する第２の段階と、上記履歴を提供された上記デジタル・コンテンツ保管事業者システムに対する携帯電話からのデジタル・コンテンツの引き出しの要求があったときに、上記デジタル・コンテンツ保管事業者システムは該要求した携帯電話に対応した上記履歴を該携帯電話に提供する第３の段階と、上記第３の段階で上記履歴を提供された携帯電話からの上記履歴中のデジタル・コンテンツの選択に従って、上記デジタル・コンテンツ保管事業者システムが該選択されたデジタル・コンテンツの該携帯電話へのダウンロードを上記デジタル・コンテンツ配信事業者システムに要求する第４の段階と、上記デジタル・コンテンツ配信事業者システムが該要求されたデジタル・コンテンツを該デジタル・コンテンツを選択した携帯電話にダウンロードする第５の段階とを、コンピュータに実行させるためのプログラムを記録したコンピュータ読み取り可能な記録媒体としたものである。
【発明の効果】
【００２５】
本発明は、以上説明したように構成されているので、ユーザーが携帯電話に保存したデジタル・コンテンツを、携帯電話とは異なる外部の記憶手段に記憶させて保管することができるようになるとともに、当該外部の記憶手段に記憶させて保管したデジタル・コンテンツをユーザーが自由に読み出して利用することができるようになるという優れた効果を奏する。
【発明を実施するための最良の形態】
【００２６】
以下、添付の図面を参照しながら、本発明による携帯電話におけるデジタル・コンテンツの保管方法およびそのシステムならびにその方法を記録したコンピュータ読み取り可能な記録媒体の実施の形態の一例を詳細に説明する。
【００２７】
なお、携帯電話とデジタル・コンテンツの配信サービスを行うデジタル・コンテンツ配信事業者側システムとの間のデジタル・コンテンツの配信サービスに基づき、携帯電話からデジタル・コンテンツ配信事業者側システムへのデジタル・コンテンツの配信の要求に応じて、デジタル・コンテンツ配信事業者側システムから携帯電話にデジタル・コンテンツをダウンロードして、ダウンロードしたデジタル・コンテンツを携帯電話に保存する処理に関しては、従来より公知の技術を用いることができるので、その詳細な構成ならびに作用の説明は省略する。
【００２８】
１．本発明による携帯電話におけるデジタル・コンテンツの保管システムの概要
まず、はじめに、本発明による携帯電話におけるデジタル・コンテンツの保管システムの理解を容易にするために、図１を参照しながら、その概要について説明する。
【００２９】
本発明による携帯電話におけるデジタル・コンテンツの保管システムにおいては、デジタル・コンテンツ配信事業者側システム１２（後述する。）から配信されるデジタル・コンテンツをダウンロードして保存するユーザー側である携帯電話１０と、携帯電話１０へデジタル・コンテンツを配信する配信サービスを行うデジタル・コンテンツ配信事業者側システム１２と、携帯電話１０に保存されたデジタル・コンテンツを管理して保管する保管サービスを行うデジタル・コンテンツ保管事業者側システム１４とが、インターネットなどのネットワーク１６を介して接続されている。
【００３０】
なお、当然のことながら、携帯電話１０は、ネットワーク１６に接続してデジタル・コンテンツ配信事業者側システム１２が配信するデジタル・コンテンツを閲覧することが可能であるとともに、ネットワーク１６を介してデジタル・コンテンツ配信事業者側システム１２が配信するデジタル・コンテンツをダウンロードすることが可能なものとする。
【００３１】
また、デジタル・コンテンツ配信事業者側システム１２とデジタル・コンテンツ保管事業者側システム１４とは、携帯電話１０のユーザーを管理するためのユーザー管理データ（後述する。）とデジタル・コンテンツとを互いに送受信可能な環境にそれぞれ設定されているものとする。
【００３２】
ここで、デジタル・コンテンツ配信事業者側システム１２が携帯電話１０にデジタル・コンテンツを配信する配信サービスと、デジタル・コンテンツ保管事業者側システム１４が携帯電話１０に保存されたデジタル・コンテンツを管理して保管する保管サービスとは、携帯電話１０を保有するユーザーの中で希望者のみが加入するようにした加入者制として、加入者のみに提供するようにしてもよい。
【００３３】
加入者制とする場合には、後述する「２−１．携帯電話を利用するユーザーの条件」の項において説明したように、携帯電話１０を利用するユーザーは、デジタル・コンテンツ配信事業者側システム１２を利用するための配信サービスと、デジタル・コンテンツ保管事業者側システム１４を利用するための保管サービスとの両方に加入することが必要であって、その両方のサービスを利用することを認められているものに限定してもよいし、その一方のサービスのみに加入しているユーザーに対して、所定の条件あるいは制限を課して他方のサービスを利用させるようにしてもよい。
【００３４】
一方、全ての携帯電話１０が、デジタル・コンテンツ配信事業者側システム１２のデジタル・コンテンツの配信サービスと、デジタル・コンテンツ保管事業者側システム１４のデジタル・コンテンツの保管サービスとを利用可能な環境である場合には、全ての携帯電話１０を保有するユーザーに対して、それらの配信サービスと保管サービスとを提供するようにしてもよい。
【００３５】
また、図１においては便宜上、デジタル・コンテンツ配信事業者側システム１２とデジタル・コンテンツ保管事業者側システム１４とが、それぞれ個別の事業者によって構築されるように図示されているが、デジタル・コンテンツ配信事業者側システム１２とデジタル・コンテンツ保管事業者側システム１４とが同一の事業者によって構築されるようにしてもよいことは勿論である。
【００３６】
さらに、デジタル・コンテンツ配信事業者側システム１２とデジタル・コンテンツ保管事業者側システム１４との関係は、デジタル・コンテンツ配信事業者とデジタル・コンテンツ保管事業者とが協力して、デジタル・コンテンツ配信事業者側システム１２が配信サービスしたデジタル・コンテンツを携帯電話１０がダウンロードして保存すると、デジタル・コンテンツ保管事業者側システム１４がそのデジタル・コンテンツを保管する保管サービスを自動的に行うようにしてもよい。
【００３７】
一方、デジタル・コンテンツ配信事業者側システム１２とデジタル・コンテンツ保管事業者側システム１４との関係は、デジタル・コンテンツ配信事業者とデジタル・コンテンツ保管事業者とが協力して、デジタル・コンテンツ配信事業者側システム１２が配信サービスしたデジタル・コンテンツを携帯電話１０がダウンロードして保存すると、デジタル・コンテンツ保管事業者側システム１４がそのデジタル・コンテンツを保管する保管サービスをユーザーの要求に基づいて選択的に行うようにしてもよい。
【００３８】
２．本発明による携帯電話におけるデジタル・コンテンツの保管システムを利用する際の条件
本発明による携帯電話におけるデジタル・コンテンツの保管システムを利用する際には、携帯電話１０を利用するユーザーと、ユーザー側に対してデジタル・コンテンツの配信サービスを提供するデジタル・コンテンツ配信事業者側システム１２を運営するデジタル・コンテンツ配信事業者と、ユーザー側に対してデジタル・コンテンツの保管サービスを提供するデジタル・コンテンツ保管事業者側システム１４を運営するデジタル・コンテンツ保管事業者とに関して、必要ならばそれぞれ以下に説明するような条件を設定するようにしてもよい。
【００３９】
２−１．携帯電話を利用するユーザーの条件
ユーザーが次の（ａ）〜（ｄ）に示す各事項を満たすことを条件として、ユーザーがデジタル・コンテンツ保管事業者側システム１４のデジタル・コンテンツの保管サービスを利用することを可能とし、ユーザーが加入しているデジタル・コンテンツ配信事業者側システム１２のデジタル・コンテンツの配信サービスにより携帯電話１０にダウンロードして保存しているデジタル・コンテンツを、デジタル・コンテンツ保管事業者側システム１４において管理して保管するとともに自由に利用することを可能にするものである。
【００４０】
（ａ）ユーザーは、デジタル・コンテンツ保管事業者側システム１４のデジタル・コンテンツの保管サービスを利用可能な、デジタル・コンテンツ配信事業者側システム１２のデジタル・コンテンツの配信サービスに加入する。
【００４１】
（ｂ）１つの携帯電話１０につき、１個人の保管サービスを提供するものとする。即ち、携帯電話１０を複数もっていて、それぞれの携帯電話１０で保管サービスを利用しても一つに取り纏められず、携帯電話１０毎に保管サービスの提供を受けられるものとする。また、この保管サービスは、携帯電話１０のそれぞれについて携帯電話事業者（キャリア）毎の保管サービスに分かれている。
【００４２】
（ｃ）デジタル・コンテンツ保管事業者側システム１４のデジタル・コンテンツの保管サービスは、入会を行ってから退会を行うまでの間は、いつでもデジタル・コンテンツの保管ならびに保管したデジタル・コンテンツを読み出して利用すること（以下、「保管したデジタル・コンテンツを読み出して利用すること」を適宜に「引き出し」と称することとする。）を行うことができるが、この保管サービスを退会した場合、あるいは、デジタル・コンテンツ保管事業者が保管サービスを終了した場合には、その保管したデジタル・コンテンツは消失し、引き出しは無効となる（但し、携帯電話の機種変更や保管事業者側の障害については例外とする。）。
【００４３】
（ｄ）デジタル・コンテンツ保管事業者側システム１４のデジタル・コンテンツの保管サービスの権利は入会した個人のみにあり、他人には譲渡できない。
【００４４】
２−２．デジタル・コンテンツ配信事業者側システムを運営するデジタル・コンテンツ配信事業者の条件
デジタル・コンテンツ保管事業者がユーザーにデジタル・コンテンツの保管サービスを提供する場合には、デジタル・コンテンツ配信事業者が次の（ａ）〜（ｃ）に示す各事項を満たすことを条件とする。
【００４５】
（ａ）携帯電話事業者（キャリア）内で正規に行われているデジタル・コンテンツの配信サービスであり、無料あるいは有料に限らず、携帯電話事業者（キャリア）を通じてデジタル・コンテンツの配信サービスの申し込みが可能であり、なおかつ、そのデジタル・コンテンツの配信サービスにおいて携帯電話事業者（キャリア）とデジタル・コンテンツ配信事業者との間において、一意のユーザー管理を行うことが可能であること。
【００４６】
（ｂ）デジタル・コンテンツ保管事業者との間で、デジタル・コンテンツの保管サービスを提供するためのシステムを構築する必要があるとともに、デジタル・コンテンツ配信事業者からデジタル・コンテンツ保管事業者へ、少なくともユーザーがデジタル・コンテンツを利用した履歴を示すデータを提供する必要がある。
【００４７】
３．本発明による携帯電話におけるデジタル・コンテンツの保管システムの実施の形態の詳細な説明
以下においては、本発明による携帯電話におけるデジタル・コンテンツの保管システムの実施の形態として、第１の実施の形態、第２の実施の形態および第３の実施の形態についてそれぞれ説明する。
【００４８】
３−１．第１の実施の形態
図２には、本発明による携帯電話におけるデジタル・コンテンツの保管システムの第１の実施の形態が示されており、配信サービスならびに保管サービスの対象のデジタル・コンテンツとして、着信メロディーを取り扱う場合が示されている。
【００４９】
本発明による携帯電話におけるデジタル・コンテンツの保管システムの第１の実施の形態においては、上記したように、携帯電話１０とデジタル・コンテンツ配信事業者側システム１２とデジタル・コンテンツ保管事業者側システム１４とが、インターネットなどのネットワーク１６を介して接続されている。
【００５０】
ここで、携帯電話１０からデジタル・コンテンツ配信事業者側システム１２に対して、デジタル・コンテンツ（デジタル・コンテンツは、例えば、着信メロディーである。）のダウンロードの要求があると（図２における矢印（ａ）参照）、デジタル・コンテンツ配信事業者側システム１２から携帯電話１０へデジタル・コンテンツがダウンロードされて（図２における矢印（ｂ）参照）、携帯電話１０にデジタル・コンテンツが保存される。
【００５１】
一方、ユーザーが携帯電話１０に保存したデジタル・コンテンツのダウンロードなどの履歴が、携帯電話１０毎にデジタル・コンテンツ配信事業者側システム１２に記録される（第１の処理：図２における破線矢印（１）参照）。
【００５２】
ここで、デジタル・コンテンツ配信事業者側システム１２においては、携帯電話１０毎にデジタル・コンテンツのダウンロードなどの履歴を含む利用状況を、ユーザー利用状況データとしてデータ管理している。このユーザー利用状況データには、デジタル・コンテンツの配信サービスや管理サービスへのユーザーの入退会日時やデジタル・コンテンツの利用時に発生するデータのデータ取得日時などのログも記録されている。
【００５３】
なお、デジタル・コンテンツ配信事業者側システム１２は、携帯電話１０への配信サービスに提供するデジタル・コンテンツのサーバーも備えているものである。
【００５４】
第１の処理が行われると、デジタル・コンテンツ配信事業者側システム１２においては、ユーザー利用状況データとしてユーザーが携帯電話１０に保存したデジタル・コンテンツのダウンロードなどの履歴と当該ダウンロードしたデジタル・コンテンツを、デジタル・コンテンツ保管事業者側システム１４へ送信して提供する（第２の処理：図２における矢印（２）参照）。ここで、コンテンツ事業者側システム１２は、ユーザー利用状況データとユーザーが利用したデジタル・コンテンツとをデジタル・コンテンツ保管事業者側システム１４へ送信して提供するものであるが、その際には、そのコピーやレプリカをデジタル・コンテンツ保管事業者側システム１４へ提供するようにしてもよい。
【００５５】
そうすると、デジタル・コンテンツ保管事業者側システム１４においては、ユーザー利用状況データをユーザー管理データベース１４ｂに記録して、ユーザー管理データベース１４ｂの記録内容を更新するとともに、ユーザーが利用したデジタル・コンテンツをコンテンツ・サーバー１４ｃに記録して、コンテンツ・サーバー１４ｃの記録内容を更新する。
【００５６】
ここで、ユーザー管理データベース１４ｂは、ユーザー利用状況データを記録して、ユーザーが保管する対象であるデジタル・コンテンツに関する状況（デジタル・コンテンツの配信サービスや管理サービスへのユーザーの入退会の状況、デジタル・コンテンツのダウンロードの履歴など。）の管理を行うためのデータベースである。
【００５７】
図３には、ユーザー利用状況データを記録するユーザー管理データベース１４ｂの構築例が示されている。図３に示すように、ユーザー利用状況データは、後述する各種の管理項目のデータより構成されており、様々な方法でユーザーの管理を行うことができるようになされている。ユーザー管理データベース１４ｂ内においては、１台の携帯電話毎に１レコードの管理を行っている。
【００５８】
なお、ユーザー利用状況データは、デジタル・コンテンツ配信事業者システム１２から携帯電話１０へデジタル・コンテンツがダウンロードされた場合に限られることなく、デジタル・コンテンツの配信サービスや管理サービスへのユーザーの入退会など、携帯電話１０の操作に伴う後述する各種の管理項目のデータが発生、削除あるいは更新される毎に、その変更されたデータがデジタル・コンテンツ配信事業者側システム１２に記録され、さらにデジタル・コンテンツ配信事業者側システム１２からデジタル・コンテンツ保管事業者側システム１４に送られて、ユーザー管理データベース１４ｂに記録されて記録内容が更新される。
【００５９】
ユーザー管理データベース１４ｂに記録されるユーザー利用状況データを構成する各管理項目データとしては、例えば、
・ユーザー識別番号（Ｕｓｅｒ  ＩＤ）
・パスワード（Ｐａｓｓ  Ｗｏｒｄ）
・ユーザーの氏名
・ユーザーの氏名のふりがな
・ユーザーの生年月日
・携帯電話の電子メール（ｅ−ｍａｉｌ）のアドレス
・配信サービス入会登録日時
・配信サービス退会登録日時
・管理サービス入会登録日時
・管理サービス退会登録日時
・携帯電話の機種変更登録日時
・利用したデジタル・コンテンツの状況
・ユーザーの郵便番号
・ユーザーの住所
・ユーザーの電話番号（携帯電話以外）
・ユーザーの携帯電話の電話番号
・その他の個人嗜好情報（歌手名、音楽ジャンル、趣味など）
がある。上記において、「利用したデジタル・コンテンツの状況」については、この下位に複数の情報（レコード）を有するようにして、ダウンロードされたデジタル・コンテンツや、当該デジタル・コンテンツをダウンロードした日時あるいは引き出しの回数などのデジタル・コンテンツのダウンロードの履歴が記録される。
【００６０】
また、コンテンツ・サーバー１４ｃは、ユーザーが保管する対象であるデジタル・コンテンツ（音楽データ、画像データ、テキスト・データあるいはその他のＪＡＶＡ（登録商標）やＣＭＸ（登録商標）などのアプリケーション・データなど。）を記録する。
【００６１】
次に、携帯電話１０からデジタル・コンテンツ保管事業者側システム１４へ、携帯電話１０に一旦保存したデジタル・コンテンツ（携帯電話１０から既に削除してしまったデジタル・コンテンツを含む。）の引き出しを要求すると、当該読み出しを要求されたデジタル・コンテンツに対応するデジタル・コンテンツがコンテンツ・サーバー１４ｃに保管されたデジタル・コンテンツの中から読み出され、読み出されたデジタル・コンテンツが携帯電話１０にダウンロードされることになる。以下、上記した処理について詳細に説明する。
【００６２】
まず、携帯電話１０のキャリア・サイトの「個人用ディスク保管」の画面１０ａからデジタル・コンテンツ保管事業者側システム１４へ、所望のデジタル・コンテンツの引き出しを要求すると（第３の処理：図２における矢印（３）参照）、デジタル・コンテンツ保管事業者側システム１４におけるワールド・ワイド・ウェブ・サーバー（ＷＷＷサーバー）１４ａは、その引き出しの要求をユーザー管理データベース１４ｂへ送り（第４の処理：図２における矢印（４）参照）、ユーザー利用状況データの照会を行うようにする。
【００６３】
ここで、ワールド・ワイド・ウェブ・サーバー１４ａは、ユーザーの環境毎のデジタル・コンテンツ画面の提供や、ユーザーが保管サービスを利用する際のユーザー認証を行うものである。
【００６４】
次に、デジタル・コンテンツ保管事業者側システム１４においては、上記した引き出しを要求したユーザーの携帯電話１０を特定して、当該携帯電話１０のユーザー利用状況データの中のデジタル・コンテンツのダウンロードの履歴をユーザー管理データベース１４ｂから読み出して携帯電話１０へ送信して提供し、、携帯電話１０の画面を「個人用ディスク保管」の画面１０ａからデジタル・コンテンツを引き出すためのユーザー履歴紹介のための「履歴」の画面１０ｂへ切り換える（第５の処理：図２における矢印（５）参照）。
【００６５】
そこで、携帯電話１０のユーザーは、「履歴」の画面１０ｂを参照しながら、引き出したいデジタル・コンテンツ（携帯電話１０から既に削除してしまったデジタル・コンテンツを含む。）を選択する（第６の処理：図２における矢印（６）参照）。
【００６６】
そうすると、デジタル・コンテンツ保管事業者側システム１４においては、上記した第６の処理において選択されたデジタル・コンテンツをコンテンツ・サーバー１４ｃから呼び出し、ユーザーの携帯電話１０へ送ってダウンロードする（第７の処理：図２における矢印（７）参照）。
【００６７】
上記した処理により、ユーザーは、携帯電話１０から削除してしまったデジタル・コンテンツでも、携帯電話１０に再度ダウンロードして保存することができる。
【００６８】
３−２．第２の実施の形態
次に、図４を参照しながら第２の実施の形態について説明するが、上記した第１の実施の形態と同一の処理に関しては、上記した第１の実施の形態の説明を援用することとし、その詳細な説明を省略する。
【００６９】
具体的には、図４における矢印（ａ）の処理は、図２に示す第１の実施の形態の矢印（ａ）に示す処理と同一であり、また、図４における矢印（ｂ）の処理は、図２に示す第１の実施の形態の矢印（ｂ）に示す処理と同一であり、また、図４における矢印（１）に示す第１の処理は、図２に示す第１の実施の形態の矢印（１）に示す第１の処理と同一であり、また、図４における矢印（３）に示す第３の処理は、図２に示す第１の実施の形態の矢印（３）に示す第３の処理と同一であり、また、図４における矢印（４）に示す第４の処理は、図２に示す第１の実施の形態の矢印（４）に示す第４の処理と同一であり、また、図４における矢印（５）に示す第５の処理は、図２に示す第１の実施の形態の矢印（５）に示す第５の処理と同一であり、また、図４における矢印（６）に示す第６の処理は、図２に示す第１の実施の形態の矢印（６）に示す第６の処理と同一である。
【００７０】
以下、上記した第１の実施の形態とは異なる点についてのみ説明する。
【００７１】
この第２の実施の形態においては、図４における矢印（２’）に示す第２’の処理（第１の実施の形態における第２の処理に対応する。）において、デジタル・コンテンツ配信事業者側システム１２はユーザー利用状況データのみをデジタル・コンテンツ保管事業者側システム１４へ送信して提供し、ユーザーがダウンロードして携帯電話１０に保存したデジタル・コンテンツはデジタル・コンテンツ保管事業者側システム１４へは提供しない。
【００７２】
そして、図４における矢印（６）に示す第６の処理（第１の実施の形態における第６の処理と同一である。）において引き出すデジタル・コンテンツが選択されると、デジタル・コンテンツ保管事業者側システム１４においては、引き出すデジタル・コンテンツをデジタル・コンテンツ配信事業者側システム１２のサーバーに要求してその都度呼び出し、コンテンツ・サーバー１４ｃ’にデジタル・コンテンツ配信事業者側のコンテンツ・サーバーから送信されて提供されたデジタル・コンテンツを取得する（第７’の処理：図４における矢印（７’）参照）。
【００７３】
上記のようにして、コンテンツ・サーバー１４ｃ’にデジタル・コンテンツ配信事業者から引き出したデジタル・コンテンツを取得すると、当該取得したデジタル・コンテンツをコンテンツ・サーバー１４ｃ’から呼び出し、ユーザーの携帯電話１０へ送ってダウンロードする（第８の処理：図４における矢印（８）参照）。
【００７４】
上記した処理により、ユーザーは、携帯電話１０から削除してしまったデジタル・コンテンツでも、携帯電話１０に再度ダウンロードして保存することができる。
【００７５】
３−３．第３の実施の形態
次に、図５を参照しながら第３の実施の形態について説明するが、上記した第２の実施の形態と同一の処理に関しては、上記した第２の実施の形態の説明を援用することとし、その説明を省略する。
【００７６】
具体的には、図５における矢印（ａ）の処理は、図４に示す第２の実施の形態の矢印（ａ）に示す処理と同一であり、また、図５における矢印（ｂ）の処理は、図４に示す第２の実施の形態の矢印（ｂ）に示す処理と同一であり、また、図５における矢印（１）に示す第１の処理は、図４に示す第２の実施の形態の矢印（１）に示す第１の処理と同一であり、また、図５における矢印（２’）に示す第２’の処理は、図４に示す第２の実施の形態の矢印（２’）に示す第２’の処理と同一であり、また、図５における矢印（３）に示す第３の処理は、図４に示す第２の実施の形態の矢印（３）に示す第３の処理と同一であり、また、図５における矢印（４）に示す第４の処理は、図４に示す第２の実施の形態の矢印（４）に示す第４の処理と同一であり、また、図５における矢印（５）に示す第５の処理は、図４に示す第２の実施の形態の矢印（５）に示す第５の処理と同一であり、また、図５における矢印（６）に示す第６の処理は、図４に示す第２の実施の形態の矢印（６）に示す第６の処理と同一である。
【００７７】
以下、上記した第２の実施の形態とは異なる点についてのみ説明する。
【００７８】
この第３の実施の形態においては、図５における矢印（６）に示す第６の処理（第２の実施の形態における第６の処理と同一である。）において引き出すデジタル・コンテンツが選択されると、デジタル・コンテンツ保管事業者側システム１４においては、引き出すデジタル・コンテンツのダウンロードの要求をデジタル・コンテンツ配信事業者側システム１２のサーバーへ送信する（第７’’の処理：図５における矢印（７’’）参照）。
【００７９】
そうすると、デジタル・コンテンツ配信事業者側システム１２では、デジタル・コンテンツ保管事業者側システム１４からダウンロードの要求のあったデジタル・コンテンツを、通常の配信サービスとは別途の処理により、ユーザーの携帯電話１０へ送ってダウンロードする（第８’の処理：図５における矢印（８’）参照）。
【００８０】
上記した処理により、ユーザーは、携帯電話１０から削除してしまったデジタル・コンテンツでも、携帯電話１０に再度ダウンロードして保存することができる。
【００８１】
４．本発明による携帯電話におけるデジタル・コンテンツの保管システムを利用する際の手順の詳細な説明
以下においては、本発明による携帯電話におけるデジタル・コンテンツの保管システムを利用する際の手順を、図６乃至図１５に示す処理フローを参照しながら説明する。
【００８２】
また、図６乃至図１５に示す処理フローにおいては、配信サービスならびに保管サービスの対象のデジタル・コンテンツとして、着信メロディーを取り扱う場合が示されている。
【００８３】
４−１．保管サービスの登録手順
図６を参照しながら、保管サービスの登録手順を説明すると、まず、携帯電話１０とデジタル・コンテンツ保管事業者側システム１４とをネットワーク１６を介して接続し、携帯電話１０の表示部に保管サービスの登録画面の表紙を表示する。
【００８４】
次に、携帯電話１０の表示部に利用規約に同意するか同意しないかの選択画面を表示し、ユーザーが規約に同意しない場合には、保管サービスの登録を中止する。
【００８５】
一方、ユーザーが規約に同意する場合には、携帯電話１０の表示部に登録情報の入力画面を表示し、ユーザーに登録情報の入力を促す。なお、この登録情報は、ユーザー管理データベース１４ｂに記録されて、ユーザー利用状況データを構成する管理項目のデータの一部となる。
【００８６】
そして、ユーザーが登録情報の入力を行った後に利用登録の確認を行うと、携帯電話１０の表示部に登録内容の再確認の画面が表示される。
【００８７】
ここで、ユーザーが登録内容の誤りなどに気付いた場合には、登録情報の再入力を行う。
【００８８】
一方、登録内容に問題がなければ、デジタル・コンテンツ保管事業者側システム１４のユーザー管理データベース１４ｂにその登録内容を登録することを許可し、デジタル・コンテンツ保管事業者側システム１４はその登録内容をユーザー管理データベースに登録する。
【００８９】
また、デジタル・コンテンツ保管事業者側システム１４は、ユーザー識別番号（Ｕｓｅｒ  ＩＤ）、パスワード（Ｐａｓｓ  Ｗｏｒｄ）および指定ＵＲＬを電子メールにより携帯電話１０に配信する。なお、上記により発行されたユーザー識別番号とパスワードとは、機種変更時などに正当にサービスを引き継ぐための認証に必要となるので、ユーザーは手書きメモなどにて保管しておくことが好ましい。
【００９０】
次に、ユーザーは、携帯電話１０を電子メールにより配信された指定ＵＲＬに接続して利用登録を完了し、ネットワーク１６を介しての携帯電話１０とデジタル・コンテンツ保管事業者側システム１４との接続を切断する。
【００９１】
なお、こうして登録が完了された後においては、デジタル・コンテンツ保管事業者側システム１４は登録されたユーザーに関して、ユーザー管理データベース１４ｂの日次更新処理を行う。
【００９２】
４−２．第１の実施の形態における配信サービスによるデジタル・コンテンツのダウンロードの手順ならびに保管サービスにより保管されたデジタル・コンテンツの引き出し手順
図７乃至図８を参照しながら、上記した図２に示す第１の実施の形態における配信サービスによるデジタル・コンテンツのダウンロードの手順ならびに保管サービスにより保管されたデジタル・コンテンツの引き出し手順を説明する。
【００９３】
なお、図２と図７乃至図８とにおける符号（ａ）、（ｂ）、（１）、（２）、（３）（４）、（５）、（６）および（７）は、それぞれ対応しており、同一の処理内容を示している。
【００９４】
まず、配信サービスによるデジタル・コンテンツのダウンロードの手順を説明すると、図６に示した利用登録手続の完了後に、デジタル・コンテンツ配信事業者側システム１２の着信メロディーを配信するサイトを利用するには、携帯電話１０からデジタル・コンテンツ配信事業者側システム１２に対して、デジタル・コンテンツ（この場合には、着信メロディーである。）のダウンロードを要求する（図７における（ａ）の処理）。
【００９５】
そうすると、デジタル・コンテンツ配信事業者側システム１２から携帯電話１０へデジタル・コンテンツがダウンロードされて、携帯電話１０にデジタル・コンテンツが保存される（図７における（ｂ）の処理）。
【００９６】
そうすると、ユーザーが携帯電話１０に保存したデジタル・コンテンツをダウンロードしたの履歴などが、デジタル・コンテンツ事業者側システム１２のユーザー管理データベースに記録される（図７における（１）の第１の処理）。
【００９７】
デジタル・コンテンツ配信事業者側システム１２においては、第１の処理が行われると、ユーザーが携帯電話１０に保存したデジタル・コンテンツのダウンロードなどの履歴と当該ダウンロードしたデジタル・コンテンツを、デジタル・コンテンツ保管事業者側システム１４へ送信して提供する（図７における（２）の第２の処理）。即ち、デジタル・コンテンツ配信事業者側システム１２は、ユーザー利用状況データとユーザーが利用したデジタル・コンテンツとをデジタル・コンテンツ保管事業者側システム１４へ送信して提供するものであるが、そのデジタル・コンテンツを提供する際には、コピーやレプリカをデジタル・コンテンツ保管事業者側システム１４へ提供すればよい。
【００９８】
そうすると、デジタル・コンテンツ保管事業者側システム１４においては、ユーザー利用状況データをユーザー管理データベース１４ｂに記録して、ユーザー管理データベース１４ｂの記録内容を更新するとともに、ユーザーが利用したデジタル・コンテンツをコンテンツ・サーバー１４ｃに記録して、コンテンツ・サーバー１４ｃの記録内容を更新する。
【００９９】
次に、携帯電話１０からデジタル・コンテンツ保管事業者側システム１４へ、携帯電話１０に一旦保存したデジタル・コンテンツ（携帯電話１０から既に削除してしまったデジタル・コンテンツを含む。）の引き出しを「個人用ディスク保管」の画面１０ａから要求すると（図７における（３）の第３の処理）、デジタル・コンテンツ保管事業者側システム１４におけるワールド・ワイド・ウェブ・サーバー１４ａは、その引き出しの要求をユーザー管理データベース１４ｂへ送る（図７における（４）の第４の処理）。
【０１００】
ここで、デジタル・コンテンツ保管事業者側システム１４においては、上記した引き出しを要求したユーザーの携帯電話１０を特定して、当該携帯電話１０のユーザー利用状況データの中のデジタル・コンテンツのダウンロードの履歴をユーザー管理データベース１４ｂから読み出して、携帯電話１０の画面を「個人用ディスク保管」の画面１０ａからデジタル・コンテンツを引き出すためのユーザー履歴紹介のための「履歴」の画面１０ｂへ切り換える（図７における（５）の第５の処理）。
【０１０１】
そこで、携帯電話１０のユーザーは、「履歴」の画面１０ｂを参照しながら、引き出したいデジタル・コンテンツ（携帯電話１０から既に削除してしまったデジタル・コンテンツを含む。）を選択する（図７における（６）の第６の処理）。
【０１０２】
そうすると、デジタル・コンテンツ保管事業者側システム１４においては、上記した第６の処理において選択されたデジタル・コンテンツをコンテンツ・サーバー１４ｃから呼び出し、ユーザーの携帯電話１０へ送ってダウンロードする（図７における（７）の第７の処理）。
【０１０３】
４−３．第２の実施の形態における配信サービスによるデジタル・コンテンツのダウンロードの手順ならびに保管サービスにより保管されたデジタル・コンテンツの引き出し手順
図９乃至図１０を参照しながら、上記した図４に示す第２の実施の形態における配信サービスによるデジタル・コンテンツのダウンロードの手順ならびに保管サービスにより保管されたデジタル・コンテンツの引き出し手順を説明する。
【０１０４】
なお、図４と図９乃至図１０とにおける符号（ａ）、（ｂ）、（１）、（２’）、（３）（４）、（５）、（６）、（７’）および（８）は、それぞれ対応しており、同一の処理内容を示している。
【０１０５】
以下、上記した第１の実施の形態とは異なる点についてのみ説明する。
【０１０６】
この第２の実施の形態においては、ユーザーが携帯電話１０にデジタル・コンテンツをダウンロードして保存した際には、デジタル・コンテンツ配信事業者側システム１２はユーザー利用状況データのみをデジタル・コンテンツ保管事業者側システム１４へ送信して提供し、ユーザーがダウンロードして携帯電話１０に保存したデジタル・コンテンツはデジタル・コンテンツ保管事業者側システム１４へは提供しない（図９における（２’）の第２’の処理）。
【０１０７】
そして、ユーザーにより引き出すデジタル・コンテンツが選択されると（図９における（６）の第６の処理）、デジタル・コンテンツ保管事業者側システム１４においては、引き出すデジタル・コンテンツをデジタル・コンテンツ配信事業者側システム１２のサーバーからその都度呼び出し、コンテンツ・サーバー１４ｃ’にデジタル・コンテンツ配信事業者側のコンテンツ・サーバーから引き出したデジタル・コンテンツを取得する（図９における（７’）の第７’の処理）。
【０１０８】
上記のようにして、コンテンツ・サーバー１４ｃ’にデジタル・コンテンツ配信事業者から引き出したデジタル・コンテンツを取得すると、当該取得したデジタル・コンテンツをコンテンツ・サーバー１４ｃ’から呼び出し、ユーザーの携帯電話１０へ送ってダウンロードする（図１０における（８）の第８の処理）。
【０１０９】
４−４．第３の実施の形態における配信サービスによるデジタル・コンテンツのダウンロードの手順ならびに保管サービスにより保管されたデジタル・コンテンツの引き出し手順
図１１乃至図１２を参照しながら、上記した図５に示す第３の実施の形態における配信サービスによるデジタル・コンテンツのダウンロードの手順ならびに保管サービスにより保管されたデジタル・コンテンツの引き出し手順を説明する。
【０１１０】
なお、図５と図１１乃至図１２とにおける符号（ａ）、（ｂ）、（１）、（２’）、（３）（４）、（５）、（６）、（７’’）および（８’）は、それぞれ対応しており、同一の処理内容を示している。
【０１１１】
以下、上記した第２の実施の形態とは異なる点についてのみ説明する。
【０１１２】
この第３の実施の形態においては、ユーザーにより引き出すデジタル・コンテンツが選択されると（図１１における（６）の第６の処理）、デジタル・コンテンツ保管事業者側システム１４においては、引き出すデジタル・コンテンツのダウンロードの要求をデジタル・コンテンツ配信事業者側システム１２のサーバーへ送る（図１１における（７’’）の第７’’の処理）。
【０１１３】
そうすると、デジタル・コンテンツ配信事業者側システム１２では、デジタル・コンテンツ保管事業者側システム１４からダウンロードの要求のあったデジタル・コンテンツをコンテンツ・サーバーから引き出す。
【０１１４】
そして、ダウンロードを要求したデジタル・コンテンツ保管事業者側からのユーザー利用状況データと、デジタル・コンテンツ配信事業者側のユーザー利用状況データとをマッチングする。そして、両者が一致したならば、デジタル・コンテンツ配信事業者側でダウンロードを要求したデジタル・コンテンツを、ユーザーの携帯電話１０へ送ってダウンロードする（図１２における（８’）の第８’の処理）。
【０１１５】
４−５．携帯電話の機種変更の登録手順
図１３乃至図１４を参照しながら、携帯電話の機種変更の登録手順を説明すると、携帯電話の機種変更を行った後に、機種変更された携帯電話１０とデジタル・コンテンツ保管事業者側システム１４とをネットワーク１６を介して接続し、携帯電話１０の表示部に保管サービスの機種変更登録画面の表紙を表示する。
【０１１６】
次に、携帯電話１０の表示部に機種変更後登録規約に同意するか同意しないかの選択画面を表示し、ユーザーが機種変更後登録規約に同意しない場合には、機種変更の登録を中止する。
【０１１７】
一方、ユーザーが機種変更後規約に同意する場合には、携帯電話１０の表示部に登録情報の入力画面を表示し、ユーザーに登録情報の入力を促す。なお、この登録情報は、ユーザー管理データベース１４ｂに記録されて、ユーザー利用状況データを構成する管理項目のデータの一部となる。
【０１１８】
そして、ユーザーが登録情報の入力を行った後に機種変更後登録の確認を行うと、携帯電話１０の表示部に登録内容の再確認の画面が表示される。
【０１１９】
ここで、ユーザーが機種変更後登録の再確認を行うと、過去の利用登録の確認のためにユーザー管理データベースに照会を行い、登録内容の誤りなどにより登録できない場合には、エラーメッセージを表示して登録情報の再入力を促す。
【０１２０】
一方、登録内容に問題がなければ、過去の利用登録の確認を行い、デジタル・コンテンツ保管事業者側システム１４のユーザー管理データベース１４ｂに機種変更の登録することを許可し、デジタル・コンテンツ保管事業者側システム１４はその登録内容をユーザー管理データベースに登録する。
【０１２１】
また、デジタル・コンテンツ保管事業者側システム１４は、指定ＵＲＬを電子メールにより携帯電話１０に配信する。
【０１２２】
次に、ユーザーは、携帯電話１０を電子メールにより配信された指定ＵＲＬに接続して利用登録を完了し、ネットワーク１６を介しての携帯電話１０とデジタル・コンテンツ保管事業者側システム１４との接続を切断する。
【０１２３】
こうして機種変更の登録が完了された後においては、デジタル・コンテンツ保管事業者側システム１４は登録されたユーザーに関して、ユーザー管理データベース１４ｂの日次更新処理を行う。
【０１２４】
なお、過去の利用登録（入会、退会、機種変更日）より所定の期間を経過した後に、機種変更登録の手続きが行われた場合には、機種変更の再登録を行えないようにしてエラー処理（再登録不可）をしてもよい。
【０１２５】
４−６．保管サービスの退会（保管サービスの終了）手順
図１５を参照しながら、保管サービスの退会、即ち、保管サービスを終了させる手順を説明すると、まず、携帯電話１０とデジタル・コンテンツ保管事業者側システム１４とをネットワーク１６を介して接続し、携帯電話１０の表示部に保管サービスの退会画面の表紙を表示する。
【０１２６】
次に、携帯電話１０の表示部に退会説明に同意するか同意しないかの選択画面を表示し、ユーザーが退会説明に同意しない場合には、保管サービスの退会処理を中止する。
【０１２７】
一方、ユーザーが退会説明に同意する場合には、携帯電話１０の表示部に退会項目（アンケートなど）の入力画面を表示し、ユーザーに退会項目の入力を促す。  そして、ユーザーが退会項目の入力を行った後に退会内容の確認を行うと、携帯電話１０の表示部に登録内容の再確認の画面が表示される。
【０１２８】
ここで、ユーザーが退会しないのであれば、保管サービスの退会処理を中止する。
【０１２９】
一方、ユーザーが退会を確認すると、ユーザー管理データベースから退会するユーザーのユーザー利用状況データを削除し、退会処理を終了する。
【０１３０】
なお、上記した図面に記載された曲名や歌手名などは、本発明を説明するための単なる一例であり、それに限定されるものではないことは勿論である。
【産業上の利用可能性】
【０１３１】
本発明は、携帯電話に保存したデジタル・コンテンツを外部の記憶手段に保管する際に利用することができる。
【図面の簡単な説明】
【０１３２】
【図１】図１は、本発明による携帯電話におけるデジタル・コンテンツの保管システムの概要を示す説明図である。
【図２】図２は、本発明による携帯電話におけるデジタル・コンテンツの保管システムの第１の実施の形態を示す説明図である。
【図３】図３は、ユーザー管理データベースの構築例を示す説明図である。
【図４】図４は、本発明による携帯電話におけるデジタル・コンテンツの保管システムの第２の実施の形態を示す説明図である。
【図５】図５は、本発明による携帯電話におけるデジタル・コンテンツの保管システムの第３の実施の形態を示す説明図である。
【図６】図６は、本発明による携帯電話におけるデジタル・コンテンツの保管システムを利用する際における、保管サービスの登録手順を示す処理フローである。
【図７】図７は、本発明による携帯電話におけるデジタル・コンテンツの保管システムの第１の実施の形態を利用する際における、配信サービスによるデジタル・コンテンツのダウンロードの手順ならびに保管サービスにより保管されたデジタル・コンテンツの引き出し手順を示す処理フローである。
【図８】図８は、本発明による携帯電話におけるデジタル・コンテンツの保管システムの第１の実施の形態を利用する際における、配信サービスによるデジタル・コンテンツのダウンロードの手順ならびに保管サービスにより保管されたデジタル・コンテンツの引き出し手順を示す処理フローである。
【図９】図９は、本発明による携帯電話におけるデジタル・コンテンツの保管システムの第２の実施の形態を利用する際における、配信サービスによるデジタル・コンテンツのダウンロードの手順ならびに保管サービスにより保管されたデジタル・コンテンツの引き出し手順を示す処理フローである。
【図１０】図１０は、本発明による携帯電話におけるデジタル・コンテンツの保管システムの第２の実施の形態を利用する際における、配信サービスによるデジタル・コンテンツのダウンロードの手順ならびに保管サービスにより保管されたデジタル・コンテンツの引き出し手順を示す処理フローである。
【図１１】図１１は、本発明による携帯電話におけるデジタル・コンテンツの保管システムの第３の実施の形態を利用する際における、配信サービスによるデジタル・コンテンツのダウンロードの手順ならびに保管サービスにより保管されたデジタル・コンテンツの引き出し手順を示す処理フローである。
【図１２】図１２は、本発明による携帯電話におけるデジタル・コンテンツの保管システムの第３の実施の形態を利用する際における、配信サービスによるデジタル・コンテンツのダウンロードの手順ならびに保管サービスにより保管されたデジタル・コンテンツの引き出し手順を示す処理フローである。
【図１３】図１３は、本発明による携帯電話におけるデジタル・コンテンツの保管システムを利用する際における、携帯電話の機種変更の登録手順を示す処理フローである。
【図１４】図１４は、本発明による携帯電話におけるデジタル・コンテンツの保管システムを利用する際における、携帯電話の機種変更の登録手順を示す処理フローである。
【図１５】図１５は、本発明による携帯電話におけるデジタル・コンテンツの保管システムを利用する際における、保管サービスの退会（保管サービスの終了）手順を示す処理フローである。
【符号の説明】
【０１３３】
１０      携帯電話
１２      コンテンツ事業者側システム
１４      管理事業者側システム
１４ａ    ワールド・ワイド・ウェブ・サーバー（ＷＷＷサーバー）
１４ｂ    ユーザー管理データベース
１４ｃ、１４ｃ’１４ｃ’’    コンテンツ・サーバー
１６      ネットワーク
【図１】
0004394672.tif 000002
【図２】
0004394672.tif 000003
【図３】
0004394672.tif 000004
【図４】
0004394672.tif 000005
【図５】
0004394672.tif 000006
【図６】
0004394672.tif 000007
【図７】
0004394672.tif 000008
【図８】
0004394672.tif 000009
【図９】
0004394672.tif 000010
【図１０】
0004394672.tif 000011
【図１１】
0004394672.tif 000012
【図１２】
0004394672.tif 000013
【図１３】
0004394672.tif 000014
【図１４】
0004394672.tif 000015
【図１５】
0004394672.tif 000016